(57)【要約】【課題】小型化を図る。【解決手段】電線カバー３０は、後端の電線導出面１２から電線Ｗが導出され、外周面に切欠部２５が開口したハウジング１０に取り付けられるものであって、ハウジング１０の外周を包囲する筒状保持部３１と、筒状保持部３１の内面に形成され、切欠部２５に嵌合することでハウジング１０が筒状保持部３１から前方へ離脱することを規制する突起部３８とを備えている。筒状保持部３１の前端に、ハウジング１０の前端面を係止させる前止まり壁を形成する必要がないので、前後方向に関して小型化を実現することができる。【選択図】図５
2019133828.tif 000002
【特許請求の範囲】
【請求項１】
後端の電線導出面から電線が導出され、外周面に切欠部が開口したハウジングに取り付けられる電線カバーであって、
前記ハウジングの外周を包囲する筒状保持部と、
前記筒状保持部の内面に形成され、前記切欠部に嵌合することで前記ハウジングが前記筒状保持部から前方へ離脱することを規制する突起部とを備えていることを特徴とする電線カバー。
【請求項２】
前記筒状保持部は、前記突起部が形成されたハウジング用箱部と、前記ハウジング用箱部の開口部を開閉するハウジング用蓋部とを備えて構成され、
前記ハウジング用蓋部が、前記ハウジング用箱部の外面に重なった形態で前記ハウジング用箱部に係止することで、前記ハウジング用箱部の拡開変形が規制されていることを特徴とする請求項１記載の電線カバー。
【請求項３】
前記ハウジング用箱部は、底壁部と、前記底壁部の側縁部から立ち上がる一対の側壁部とを有しており、
前記ハウジング用蓋部が一方の前記側壁部の立ち上がり端縁にヒンジ部を介して連なっていることを特徴とする請求項２記載の電線カバー。
【請求項４】
前記突起部に形成され、前記ハウジング用箱部の前記開口部側に臨むテーパ状の誘導面を備えていることを特徴とする請求項２又は請求項３記載の電線カバー。
【請求項５】
前記筒状保持部の後端に連なって前記電線を包囲する電線包囲部を備えており、
前記電線包囲部は、前記ハウジング用箱部に連なる電線用箱部と、前記電線用箱部の開口部を開閉する電線用蓋部とを備えて構成され、
前記電線用蓋部が前記ハウジング用蓋部の外面に重なっていることを特徴とする請求項２ないし請求項４のいずれか１項に記載の電線カバー。
【請求項６】
後端の電線導出面から電線が導出され、外周面に切欠部が開口したハウジングと、
前記ハウジングに取り付けられる電線カバーと、
前記電線カバーを構成し、前記ハウジングの外周を包囲する筒状保持部と、
前記筒状保持部の内面に形成され、前記切欠部に嵌合することで前記ハウジングが前記筒状保持部から前方へ離脱することを規制する突起部とを備えていることを特徴とするコネクタ。
【請求項７】
前記切欠部が、ロックアームの外面を覆う外壁部を貫通して前記ロックアームの一部を露出させた形態であり、
前記ロックアームが前記切欠部側へ弾性変位可能となっており、
前記突起部が前記ロックアームと非干渉の位置に配置されていることを特徴とする請求項６記載のコネクタ。
【請求項８】
前記切欠部が、ロックアームの外面を覆う外壁部を貫通して前記ロックアームの一部を露出させた形態であり、
前記ロックアームが前記切欠部側へ弾性変位可能となっており、
前記筒状保持部の内面に、前記ロックアームとの干渉を回避する逃がし部が形成されていることを特徴とする請求項６又は請求項７記載のコネクタ。
【発明の詳細な説明】
【技術分野】
【０００１】
本発明は、電線カバー及びコネクタに関するものである。
【背景技術】
【０００２】
特許文献１には、ハウジングに電線カバーを取り付け、ハウジングの後端面から導出された電線を電線カバーに挿通させたコネクタが開示されている。電線カバーはハウジングの外周を包囲する筒状保持部を有している。筒状保持部の前端部に形成したストッパが、ハウジングの前端面外周縁に対し前方から係止している。また、電線カバーに形成した左右一対の開閉部材が、ハウジングに対して後方から係止している。ストッパと開閉部材の係止により、筒状保持部とハウジングの前後方向への相対移動が規制されている。
【先行技術文献】
【特許文献】
【０００３】
【特許文献１】特開２００２−０２５６８４号公報
【発明の概要】
【発明が解決しようとする課題】
【０００４】
筒状保持部の前端部には、ハウジングの前端面に対して前方から当接するストッパが形成されているので、電線カバーとコネクタは、ストッパの分だけ前後寸法が大きくなっている。
【０００５】
本発明は上記のような事情に基づいて完成されたものであって、小型化を図ることを目的とする。
【課題を解決するための手段】
【０００６】
第１の発明に係る電線カバーは、
後端の電線導出面から電線が導出され、外周面に切欠部が開口したハウジングに取り付けられるものであって、
前記ハウジングの外周を包囲する筒状保持部と、
前記筒状保持部の内面に形成され、前記切欠部に嵌合することで前記ハウジングが前記筒状保持部から前方へ離脱することを規制する突起部とを備えていることを特徴とする。
【０００７】
第２の発明に係るコネクタは、
後端の電線導出面から電線が導出され、外周面に切欠部が開口したハウジングと、
前記ハウジングに取り付けられる電線カバーと、
前記電線カバーを構成し、前記ハウジングの外周を包囲する筒状保持部と、
前記筒状保持部の内面に形成され、前記切欠部に嵌合することで前記ハウジングが前記筒状保持部から前方へ離脱することを規制する突起部とを備えていることを特徴とする。
【発明の効果】
【０００８】
第１の発明に係る電線カバー及び第２の発明に係るコネクタは、筒状保持部の前端に、ハウジングの前端面を係止させる前止まり壁を形成する必要がないので、前後方向に関して小型化を実現することができる。
【図面の簡単な説明】
【０００９】
【図１】実施例１のコネクタの組付け状態をあらわす斜視図
【図２】コネクタの組付け状態をあらわす正面図
【図３】コネクタの組付け状態をあらわす平面図
【図４】コネクタの組付け状態をあらわす側面図
【図５】図４のＸ−Ｘ線断面図
【図６】ロックアームが弾性変位した状態をあらわす図４のＸ−Ｘ線相当断面図
【図７】ハウジングと電線カバーの組付け過程において、ハウジングを電線カバーのハウジング用箱部に嵌合した状態をあらわす斜視図
【図８】ハウジングと電線カバーの組付け過程において、ハウジング用箱部の開口部をハウジング用蓋部で塞いだ状態をあらわす斜視図
【図９】ハウジングと電線カバーの組付け過程において、ハウジング用箱部の開口部をハウジング用蓋部で塞いだ状態をあらわす平面図
【図１０】電線カバーの斜視図
【図１１】電線カバーの正面図
【図１２】電線カバーの平面図
【図１３】ハウジングの電線導出面から電線を導出させた状態をあらわす斜視図
【図１４】ハウジングの電線導出面から電線を導出させた状態をあらわす側面図
【図１５】図１４のＹ−Ｙ線断面図
【発明を実施するための形態】
【００１０】
第１の発明及び第２の発明は、前記筒状保持部は、前記突起部が形成されたハウジング用箱部と、前記ハウジング用箱部の開口部を開閉するハウジング用蓋部とを備えて構成され、前記ハウジング用蓋部が、前記ハウジング用箱部の外面に重なった形態で前記ハウジング用箱部に係止することで、前記ハウジング用箱部の拡開変形が規制されていてもよい。この構成によれば、ハウジング用箱部の拡開変形が規制されることで、突起部が切欠部から解離する方向へ変位することを規制できるので、突起部と切欠部との嵌合が確実となる。
【００１１】
第１の発明及び第２の発明は、前記ハウジング用箱部は、底壁部と、前記底壁部の側縁部から立ち上がる一対の側壁部とを有しており、前記ハウジング用蓋部が一方の前記側壁部の立ち上がり端縁にヒンジ部を介して連なっていてもよい。この構成によれば、ハウジング用箱部とハウジング用蓋部が単一部品として構成されるので、部品点数の削減を図ることができる。
【００１２】
第１の発明及び第２の発明は、前記突起部に形成され、前記ハウジング用箱部の前記開口部側に臨むテーパ状の誘導面を備えていてもよい。この構成によれば、ハウジングをハウジング用箱部内に組み付ける際に、ハウジングは突起部に当接したときにテーパ状の誘導面に摺接するので、ハウジングと突起部との間で引っ掛かりが生じる虞はない。
【００１３】
第１の発明は、前記筒状保持部の後端に連なって前記電線を包囲する電線包囲部を備えており、前記電線包囲部は、前記ハウジング用箱部に連なる電線用箱部と、前記電線用箱部の開口部を開閉する電線用蓋部とを備えて構成され、前記電線用蓋部が前記ハウジング用蓋部の外面に重なっていてもよい。この構成によれば、電線用蓋部がハウジング用蓋部の外面に重なることで、ハウジング用蓋部の開きが規制されるので、ハウジングを筒状保持部内に確実に保持することができる。
【００１４】
第２の発明は、前記電線カバーは、前記筒状保持部の後端に連なって前記電線を包囲する電線包囲部を備えており、前記電線包囲部は、前記ハウジング用箱部に連なる電線用箱部と、前記電線用箱部の開口部を開閉する電線用蓋部とを備えて構成され、前記電線用蓋部が前記ハウジング用蓋部の外面に重なっていてもよい。この構成によれば、電線用蓋部がハウジング用蓋部の外面に重なることで、ハウジング用蓋部の開きが規制されるので、ハウジングを筒状保持部内に確実に保持することができる。
【００１５】
第２の発明は、前記切欠部が、ロックアームの外面を覆う外壁部を貫通して前記ロックアームの一部を露出させた形態であり、前記ロックアームが前記切欠部側へ弾性変位可能となっており、前記突起部が前記ロックアームと非干渉の位置に配置されていてもよい。この構成によれば、ロックアームの弾性変位が突起部によって妨げられる虞はない。
【００１６】
第２の発明は、前記切欠部が、ロックアームの外面を覆う外壁部を貫通して前記ロックアームの一部を露出させた形態であり、前記ロックアームが前記切欠部側へ弾性変位可能となっており、前記筒状保持部の内面に、前記ロックアームとの干渉を回避する逃がし部が形成されていてもよい。この構成によれば、ロックアームの弾性変位が筒状保持部によって妨げられる虞はない。
【００１７】
＜実施例１＞
以下、本発明を具体化した実施例１を図１〜図１５を参照して説明する。本実施例のコネクタは、合成樹脂製のハウジング１０と、ハウジング１０に組み付けられる合成樹脂製の電線カバー３０とを備えて構成されている。以下の説明において、前後の方向については、図１，７，８，１０，１３における斜め左下方を前方と定義する。上下の方向については、図１，２，４，７，８，１０，１１，１３，１４にあらわれる向きを、そのまま上方、下方と定義する。左右の方向については、図２，３，９，１１，１２にあらわれる向きを、そのまま左方、右方と定義する。
【００１８】
＜ハウジング１０＞
図１３〜１５に示すように、ハウジング１０は、ブロック状をなす端子収容部１１と、端子収容部１１を包囲する周壁部１３とを有する。端子収容部１１内には、複数（本実施例では一対）の端子金具（図示省略）が収容されている。一対の端子金具に個別に接続された一対の電線Ｗは、ハウジング１０（端子収容部１１）の後端面の電線導出面１２から後方へ導出されている。一対の電線Ｗは、複数の周方向の溝部Ｇが外周に形成されたコルゲートチューブＴ内に挿通されている。
【００１９】
周壁部１３は、正面視形状が略方形の枠状をなす。周壁部１３を構成する上壁部１４と下壁部１５の後端部には、夫々、その後端縁から前方へ切欠した形態の凹部１６が形成されている。周壁部１３は、端子収容部１１の右外側面と間隔を空けて対向する右外壁部１７を有する。右外壁部１７の後端部は、端子収容部１１の後端よりも前方に位置しており、段差状当接部１８として機能する。
【００２０】
周壁部１３は、端子収容部１１の左外側面と間隔を空けて対向する左外壁部１９（請求項に記載の外壁部）を有する。端子収容部１１と左外壁部１９との間には、前後方向に長い板状のロックアーム２０が収容されている。ロックアーム２０は、その板厚方向を左右方向に向けた向きに配され、ロックアーム２０の前後方向略中央部に位置する連結部２１が、端子収容部１１の左外側面に連なっている。ロックアーム２０のうち連結部２１より前方の領域は、貫通形態のロック部２３を有するロック機能部２２となっている。ロックアーム２０の後端部には、ロックアーム２０によるロックを解除する際に押し操作するための操作部２４が形成されている。
【００２１】
左外壁部１９には、左外壁部１９を左右方向（壁厚方向）に貫通した形態の切欠部２５が形成されている。図１４に示すように、切欠部２５の側面視形状は略方形である。左外壁部１９の外方（左方）からは、ロックアーム２０のうち連結部２１より前方のロック機能部２２のみが切欠部２５を通して目視可能となっている。換言すると、ロック機能部２２は、切欠部２５において左外壁部１９（ハウジング１０）の外周面に露出している。
【００２２】
ロックアーム２０は、ロック機能部２２を端子収容部１１から遠ざかる方向（左方）へ変位させるとともに、操作部２４を端子収容部１１に接近する方向（右方）へ変位させるような形態で、連結部２１を支点としてシーソー状に弾性変形し得るようになっている。ロックアーム２０がロック解除方向へ弾性変形すると、図６に示すように、ロック機能部２２が切欠部２５内に進入し、ロック機能部２２の前端部が左外壁部１９の外面より外方へ突出するようになっている。
【００２３】
＜電線カバー３０＞
図１，１０〜１２に示すように、電線カバー３０は、ハウジング１０を収容して保持する筒状保持部３１と、ハウジング１０の後方近傍において電線Ｗを屈曲させた状態で収容する電線包囲部４９と、コルゲートチューブＴの前端部を位置決めする筒状位置決め部６２とを有する単一部材である。電線カバー３０は全体として筒状をなし、電線カバー３０の平面視形状は略Ｌ字形に屈曲した形状である。
【００２４】
筒状保持部３１は、ハウジング用箱部３２とハウジング用蓋部４４とを第１ヒンジ部４３（請求項に記載のヒンジ部）を介して連結して構成されている。ハウジング用箱部３２は、底壁部３３と、底壁部３３の右側縁から上方へ立ち上がる右側壁部３４Ｒ（請求項に記載の側壁部）と、底壁部３３の左側縁から上方へ立ち上がる左側壁部３４Ｌ（請求項に記載の側壁部）とを有する。底壁部３３の上面後端部には、突起状の箱側リブ３５が形成されている。箱側リブ３５はハウジング１０の下側の凹部１６と嵌合する。右側壁部３４Ｒの外面には、ロック突起３６と、ロック突起３６を囲む枠状の離脱規制部３７とが形成されている。
【００２５】
左側壁部３４Ｌの前後方向における形成領域は、底壁部３３の前端から、底壁部３３の前後方向における略中央位置に至る範囲である。右側壁部３４Ｒの前後方向における形成領域は、底壁部３３の前端から後端に至る範囲である。ハウジング用箱部３２の内部空間は、ハウジング用箱部３２の前面全体と、後面全体と、上面全体と、左側面のうち後端側領域とに開放されている。
【００２６】
左側壁部３４Ｌの内面における後端部には、突起部３８が形成されている。図１０，１１に示すように、突起部３８の上面（ハウジング用箱部３２の上面の開口部４２に臨む面）には、右方に向かって下り勾配となるように傾斜した誘導面３９が形成されている。図５，６，１２に示すように、突起部３８の右側面には、平面視において斜め右前方に面するように傾斜した傾斜面４０が形成されている。この傾斜面４０により、ロックアーム２０と突起部３８との干渉が回避されている。また、左側壁部３４Ｌの内面のうち突起部３８より前方の領域には、左側壁部３４Ｌの厚さが薄くなるように凹ませた形態の逃がし部４１が形成されている。この逃がし部４１により、ロックアーム２０と左側壁部３４Ｌとの干渉が回避されている。
【００２７】
ハウジング用蓋部４４は、概ね平板状をなし、第１ヒンジ部４３を介して左側壁部３４Ｌの上端縁に連なっている。ハウジング用蓋部４４は、第１ヒンジ部４３を支点として、ハウジング用箱部３２の上面の開口部４２を開放する開放位置（図７，１０〜１２を参照）と、ハウジング用箱部３２の開口部４２を閉塞する閉塞位置（図１〜４，８，９を参照）との間で変位するようになっている。ハウジング用蓋部４４の後端部には突起状の蓋側リブ４５が形成されている。ハウジング用蓋部４４が閉塞位置にある状態で、蓋側リブ４５は、筒状保持部３１の内面側に位置し、ハウジング１０の上側の凹部１６と嵌合する。ハウジング用蓋部４４には、その後端縁に沿ってリブ状に延出した形態の受け部４６が形成されている。
【００２８】
ハウジング用蓋部４４には弾性ロック片４７が形成されている。弾性ロック片４７は、ハウジング用蓋部４４の左右両側縁部のうち第１ヒンジ部４３とは反対側の側縁部から、略直角に片持ち状に延出した形態である。弾性ロック片４７にはロック孔４８が形成されている。ハウジング用蓋部４４を閉塞位置へ変位させると、弾性ロック片４７が右側壁部３４Ｒの外面に重なり、ロック孔４８がロック突起３６に係止する。
【００２９】
ロック孔４８とロック突起３６の係止により、ハウジング用蓋部４４がハウジング用箱部３２に組み付けられた状態にロックされ、筒状保持部３１が構成される。また、弾性ロック片４７が枠状の離脱規制部３７に嵌合することにより、弾性ロック片４７が右側壁部３４Ｒの外面に重なる状態が保持されるとともに、ロック孔４８とロック突起３６の係止状態が保持される。以上により、筒状保持部３１が角筒形状に保持される。
【００３０】
電線包囲部４９は、電線用箱部５０と電線用蓋部５７とを第２ヒンジ部５６を介して連結して構成されている。電線用箱部５０は、ハウジング用箱部３２の底壁部３３に連なる第１底板部５１と、第１底板部５１の左側縁及び後縁縁から上方へ立ち上がる第１左側板部５２Ｌと、第１底板部５１の前縁及び右側縁から上方へ立ち上がる第１右側板部５２Ｒとを有する。第１左側板部５２Ｌの前端とハウジング用箱部３２の左側壁部３４Ｌの後端との間には、操作用空間５３が空いている。第１右側板部５２Ｒの前端はハウジング用箱部３２の右側壁部３４Ｒの後端に連なっている。第１左側板部５２Ｌの内面には第１係止空間５４が形成され、第１係止空間５４内には第１係止突起５５（図９，１２を参照）が形成されている。
【００３１】
電線用蓋部５７は、概ね平板状をなし、第２ヒンジ部５６を介して第１右側板部５２Ｒの上端縁に連なっている。電線用蓋部５７は、第２ヒンジ部５６を支点として、電線用箱部５０の上面の開口部５８を開放する開放位置（図７〜１２を参照）と、電線用箱部５０の開口部５８を閉塞する閉塞位置（図１〜４を参照）との間で変位するようになっている。電線用蓋部５７には、その前側端縁に沿ってリブ状に延出した押え部５９が形成されている。
【００３２】
電線用蓋部５７には第１弾性係止片６０が形成されている。第１弾性係止片６０は、電線用蓋部５７の左右両側縁部のうち第２ヒンジ部５６とは反対側の側縁部から、略直角に片持ち状に延出した形態である。第１弾性係止片６０には第１係止孔６１が形成されている。電線用蓋部５７を閉塞位置へ変位させると、第１弾性係止片６０が第１係止空間５４内に挿入され、第１係止孔６１が第１係止突起５５に係止する。第１係止孔６１と第１係止突起５５の係止により、電線用蓋部５７が電線用箱部５０に組み付けられた状態にロックされ、電線包囲部４９が構成される。電線包囲部４９の前端は筒状保持部３１の後端と連通している。
【００３３】
筒状位置決め部６２は、位置決め用箱部６３と位置決め用蓋部７０とを第３ヒンジ部６９を介して連結して構成されている。位置決め用箱部６３は、電線用箱部５０の第１底板部５１に連なる第２底板部６４と、第２底板部６４の左側縁から上方へ立ち上がる第２左側板部６５Ｌと、第２底板部６４の右側縁から上方へ立ち上がる第２右側板部６５Ｒとを有する。第２左側板部６５Ｌの前端は電線用箱部５０の第１右側板部５２Ｒの後端に連なっている。第２右側板部６５Ｒの前端は電線用箱部５０の第１右側板部５２Ｒの後端に連なっている。第２左側板部６５Ｌには第２係止空間６６が形成され、第２係止空間６６内には第２係止突起６７が形成されている。第２左側板部６５Ｌの内面と第２右側板部６５Ｒの内面には、位置決め突部６８が形成されている。
【００３４】
位置決め用蓋部７０は、概ね平板状をなし、第３ヒンジ部６９を介して第２右側板部６５Ｒの上端縁に連なっている。位置決め用蓋部７０は、第３ヒンジ部６９を支点として、位置決め用箱部６３の上面の開口部７１を開放する開放位置（図７〜１２を参照）と、位置決め用箱部６３の開口部７１を閉塞する閉塞位置（図１〜４を参照）との間で変位するようになっている。
【００３５】
位置決め用蓋部７０には第２弾性係止片７２が形成されている。第２弾性係止片７２は、位置決め用蓋部７０の左右両側縁部のうち第３ヒンジ部６９とは反対側の側縁部から、略直角に片持ち状に延出した形態である。第２弾性係止片７２には第２係止孔７３が形成されている。位置決め用蓋部７０を閉塞位置へ変位させると、第２弾性係止片７２が第２係止空間６６内に挿入され、第２係止孔７３が第２係止突起６７に係止する。第２係止孔７３と第２係止突起６７の係止により、位置決め用蓋部７０が位置決め用箱部６３に組み付けられた状態にロックされ、筒状位置決め部６２が構成される。筒状位置決め部６２の前端は電線包囲部４９の後端と連通し、筒状位置決め部６２の後端の開口は、電線カバー３０の外部へ開放されている。
【００３６】
＜実施例の作用及び効果＞
ハウジング１０と電線カバー３０を組み付ける手順を説明する。電線カバー３０においては、ハウジング用蓋部４４と電線用蓋部５７と位置決め用蓋部７０を、いずれも、開放位置へ変位させておき、この状態でハウジング用箱部３２内にハウジング１０を収容する。このとき、ハウジング１０を、電線カバー３０の上方から左右両側壁部３４Ｌ，３４Ｒの間に落とし込み、段差状当接部１８を電線カバー３０の右側壁部３４Ｒに形成されている段差状にストッパ７４に摺接させるように嵌合する。
【００３７】
嵌合の過程では、左外壁部１９が突起部３８と干渉するが、突起部３８の上端部にはテーパ状の誘導面３９が形成されているので、左外壁部１９が突起部３８の上端部に引っ掛かることはなく、左外壁部１９が誘導面３９に摺接する。左外壁部１９と誘導面３９とが摺接するのに伴い、左右両側壁部３４Ｌ，３４Ｒが弾性的に拡開変形する。左外壁部１９は、誘導面３９を通過した後、突起部３８の突出端面に摺接するので、この間は、左右両側壁部３４Ｌ，３４Ｒが拡開変形したままとなる。
【００３８】
図７に示すように、ハウジング１０がハウジング用箱部３２内に正しく収容されると、左右両側壁部３４Ｌ，３４Ｒが弾性復帰してハウジング１０を左右両側から挟むように保持するとともに、突起部３８がハウジング１０の切欠部２５内に進入し、突起部３８と切欠部２５が嵌合状態となる。この嵌合により、ハウジング１０がハウジング用箱部３２から上方へ離脱することを規制される。また、切欠部２５の後端縁が突起部３８に対し後方から係止し、ハウジング１０が電線カバー３０に対して前方へ相対変位することを規制される。さらに、段差状当接部１８が段差状にストッパ７４に対し前方から係止することにより、ハウジング１０が電線カバー３０に対して後方へ相対変位することを規制される。
【００３９】
以上により、ハウジング１０がハウジング用箱部３２内に嵌合された状態に保持される。嵌合状態では、電線導出面１２が電線用箱部５０の内部空間に臨んでいる。ハウジング１０をハウジング用箱部３２内に嵌合した後は、電線導出面１２から後方へ導出されている電線Ｗを、電線用箱部５０内に収容して斜め右後方へ転向させる。また、コルゲートチューブＴの前端部を位置決め用箱部６３内に嵌合し、コルゲートチューブＴの外周の溝部Ｇを位置決め突部６８に嵌合させる。これにより、コルゲートチューブＴの前端部が電線カバー３０（位置決め用箱部６３）に対し位置決めされる。
【００４０】
この後、図８，９に示すように、ハウジング用蓋部４４を閉塞位置へ変位させる。これにより、ハウジング用箱部３２の開口部４２が塞がれてハウジング１０の上面がハウジング用蓋部４４で覆われ、ハウジング１０を全周に亘って包囲した状態に保持する筒状保持部３１が構成される。筒状保持部３１の角筒形状は弾性ロック片４７とロック突起３６との係止により保持される。
【００４１】
ハウジング用蓋部４４をハウジング用箱部３２に組み付けた状態では、ハウジング用蓋部４４の右側縁部から延出した弾性ロック片４７が、右側壁部３４Ｒの外面に重なった状態でロック突起３６と係止してロックされる。ハウジング用蓋部４４の左側縁部は、第１ヒンジ部４３を介して左側壁部３４Ｌの上端縁に連なっているので、左右両側壁部３４Ｌ，３４Ｒの左右方向への拡開変形が規制され、突起部３８と切欠部２５の後縁部との係止代が確保される。
【００４２】
しかも、突起部３８と弾性ロック片４７は、いずれも、筒状保持部３１の前後方向中央より前方の位置に配置され、さらに、弾性ロック片４７は離脱規制部３７により右側壁部３４Ｒの外面から離間することを規制されている。これにより、突起部３８が切欠部２５に対し左方へ相対変位することが、確実に規制されている。
【００４３】
筒状保持部３１の左外側面のうち左側壁部３４Ｌより後方の領域は、ハウジング１０を電線カバー３０（筒状保持部３１）の外部へ開放させる操作用空間５３として開口している。この操作用空間５３では、図４に示すように、左外壁部１９の後端が領域とロックアーム２０の操作部２４が露出している。したがって、ハウジング１０と電線カバー３０を組み付けた状態でも、操作部２４を押してロック解除の操作を行うことができる。
【００４４】
この後、開放位置の電線用蓋部５７を、閉塞位置へ変位させて電線用箱部５０の開口部５８を塞ぐ。これにより、電線Ｗのうち電線導出面１２とコルゲートチューブＴの前端との間で露出状態となっている領域が電線用蓋部５７で覆われ、電線Ｗの露出状態となっている領域を全周に亘って包囲する電線包囲部４９が構成される。電線用蓋部５７を電線用箱部５０に組み付けた状態では、電線用蓋部５７の押え部５９が、ハウジング用蓋部４４の後端縁の受け部４６の外面に重なる。これにより、ハウジング用蓋部４４が上方（ハウジング用箱部３２から遠ざかる方向）へ変位することを規制される。
【００４５】
電線用蓋部５７を電線用箱部５０に組み付けた後側は、開放位置の位置決め用蓋部７０を、閉塞位置へ変位させて位置決め用箱部６３の開口部７１を塞ぐ。これにより、コルゲートチューブＴの前端部が位置決め用蓋部７０で覆われ、コルゲートチューブＴの前端部を全周に亘って包囲する筒状位置決め部６２が構成される。以上より、ハウジング１０と電線カバー３０との組付けが完了する。
【００４６】
上記構成のコネクタを相手側コネクタ（図示省略）と嵌合する際には、ロックアーム２０が相手側のロック用受け部４６と干渉してロック解除方向へ弾性変位する。また、嵌合状態のコネクタと相手側コネクタを離脱する際には、操作部２４を押し操作してロックアーム２０をロック解除方向へ弾性変位させる。このとき、ロックアーム２０が平面視においてシーソー状に傾いてロック機能部２２が切欠部２５内に進入するのであるが、切欠部２５内には電線カバー３０の突起部３８が収容されているため、ロック機能部２２が突起部３８と干渉することが懸念される。
【００４７】
この点を勘案し、突起部３８には、平面視において左側壁部３４Ｌに対して斜めに切欠した形態の傾斜面４０を形成した。これにより、左側壁部３４Ｌからの突起部３８の突出寸法を大きくすることによって、突起部３８と切欠部２５との係止代を充分に確保しながら、ロックアーム２０（ロック機能部２２）と突起部３８との干渉を回避することが実現されている。
【００４８】
また、ロックアーム２０が弾性変位したとき、ロック機能部２２の前端部は、切欠部２５を通過して左外壁部１９の外方（左方）へ突出するため、左側壁部３４Ｌの内面と干渉することが懸念される。しかし、本実施例では、左側壁部３４Ｌには、その内面を凹ませた形態の逃がし部４１を形成しているので、ロック機能部２２と左側壁部３４Ｌとが干渉する虞はない。
【００４９】
上述のように本実施例のコネクタは、後端の電線導出面１２から電線Ｗが導出され、外周面に切欠部２５が開口したハウジング１０と、ハウジング１０に取り付けられる電線カバー３０とを備えている。電線カバー３０は、ハウジング１０の外周を全周に亘って包囲する筒状保持部３１と、筒状保持部３１の内面に形成された突起部３８とを備えている。突起部３８は、切欠部２５に嵌合することでハウジング１０が筒状保持部３１から前方へ離脱することを規制する。この構成によれば、筒状保持部３１の前端に、ハウジング１０の前端面を係止させる前止まり壁を形成する必要がないので、前後方向に関して電線カバー３０の小型化が可能になる。
【００５０】
また、筒状保持部３１は、突起部３８が形成されたハウジング用箱部３２と、ハウジング用箱部３２の開口部４２を開閉するハウジング用蓋部４４とを備えて構成されている。ハウジング用蓋部４４に形成した弾性ロック片４７は、ハウジング用箱部３２のロック突起３６に対しその右側壁部３４Ｒの外面を覆うように係止し、この係止作用により、ハウジング用箱部３２の左右両側壁部が拡開変形することを規制されている。ハウジング用箱部３２の拡開変形が規制されることにより、突起部３８が切欠部２５から解離する方向へ変位することが規制されるので、突起部３８と切欠部２５との嵌合が確実となる。
【００５１】
また、ハウジング用箱部３２は、底壁部３３と、底壁部３３の側縁部から立ち上がる左右一対の側壁部３４Ｌ，３４Ｒとを有しており、ハウジング用蓋部４４が左側壁部３４Ｌの立ち上がり端縁に第１ヒンジ部４３を介して連なっている。この構成によれば、ハウジング用箱部３２とハウジング用蓋部４４が単一部品として構成されるので、部品点数の削減を図ることができる。
【００５２】
また、突起部３８の上端部には、ハウジング用箱部３２の上面の開口部４２側（斜め上方）に臨むテーパ状の誘導面３９が形成されている。この構成によれば、ハウジング１０を上から落とし込むようにハウジング用箱部３２内に組み付ける際に、ハウジング１０は、突起部３８の上端部に当接したときにテーパ状の誘導面３９に摺接するので、ハウジング１０と突起部３８との間で引っ掛かりが生じる虞はない。
【００５３】
また、電線カバー３０は、筒状保持部３１の後端に連なって電線Ｗを包囲する電線包囲部４９を備えており、電線包囲部４９は、ハウジング用箱部３２に連なる電線用箱部５０と、電線用箱部５０の開口部５８を開閉する電線用蓋部５７とを備えて構成されている。電線用蓋部５７を電線用箱部５０の開口部５８を閉塞したときに、電線用蓋部５７の押え部５９がハウジング用蓋部４４の受け部４６の外面に重なっていてもよい。この構成によれば、電線用蓋部５７の押え部５９がハウジング用蓋部４４の受け部４６の外面に重なることで、ハウジング用蓋部４４の開きが規制されるので、ハウジング１０を筒状保持部３１内に確実に保持することができる。
【００５４】
また、ハウジング１０の切欠部２５は、ロックアーム２０の外面を覆う左外壁部１９を貫通し、ロックアーム２０の一部（ロック機能部２２）を露出させた形態である。ロックアーム２０が弾性変位したときに、ロック機能部２２は切欠部２５側へ弾性変位可能となっているのであるが、突起部３８がロック機能部２２と非干渉の位置に配置されているので、ロックアーム２０の弾性変位が突起部３８によって妨げられる虞はない。また、筒状保持部３１（左側壁部３４Ｌ）の内面には、ロックアーム２０が弾性変位したときにロックアーム２０（ロック機能部２２）との干渉を回避する逃がし部４１が形成されている。したがって、ロックアーム２０の弾性変位が筒状保持部３１によって妨げられる虞もない。
【００５５】
＜他の実施例＞
本発明は上記記述及び図面によって説明した実施例に限定されるものではなく、例えば次のような実施例も本発明の技術的範囲に含まれる。
（１）上記実施例では、ハウジング用蓋部がハウジング用箱部に対しその外面に重なるようになっているが、ハウジング用蓋部はハウジング用箱部の内面に重なる形態であってもよい。
（２）上記実施例では、ハウジング用箱部とハウジング用蓋部を一体化したが、ハウジング用箱部とハウジング用蓋部は別体の部品であってもよい。
（３）上記実施例では、突起部にテーパ状の誘導面を形成したが、突起部は、テーパ面の誘導面を有しない形態であってもよい。
（４）上記実施例では、電線用蓋部がハウジング用蓋部の外面に重なるが、電線用蓋部はハウジング用蓋部の外面に重ならない形態であってもよい。
（５）上記実施例では、電線用箱部と電線用蓋部を一体化したが、電線用箱部と電線用蓋部は別体の部品であってもよい。
（６）上記実施例では、切欠部がロックアームの外面を覆う外壁部を貫通してロックアームの一部を露出させる形態であるが、本発明は、切欠部はロックアームの一部を露出させる形態でない場合にも適用できる。
（７）上記実施例では、筒状保持部がハウジングの外周を全周に亘って包囲しているが、筒状保持部は、ハウジングの外周のうち一部のみを包囲する形態であってもよい。
【符号の説明】
【００５６】
１０…ハウジング
１２…電線導出面
１８…右外壁部（外壁部）
１９…左外壁部（外壁部）
２０…ロックアーム
２５…切欠部
３０…電線カバー
３１…筒状保持部
３２…ハウジング用箱部
３３…底壁部
３４Ｌ…左側壁部（側壁部）
３４Ｒ…右側壁部（側壁部）
３８…突起部
３９…誘導面
４１…逃がし部
４２…ハウジング用箱部の開口部
４３…第１ヒンジ部（ヒンジ部）
４４…ハウジング用蓋部
４９…電線包囲部
５０…電線用箱部
５７…電線用蓋部
５８…電線用箱部の開口部
Ｗ…電線
【図１】
2019133828.tif 000003
【図２】
2019133828.tif 000004
【図３】
2019133828.tif 000005
【図４】
2019133828.tif 000006
【図５】
2019133828.tif 000007
【図６】
2019133828.tif 000008
【図７】
2019133828.tif 000009
【図８】
2019133828.tif 000010
【図９】
2019133828.tif 000011
【図１０】
2019133828.tif 000012
【図１１】
2019133828.tif 000013
【図１２】
2019133828.tif 000014
【図１３】
2019133828.tif 000015
【図１４】
2019133828.tif 000016
【図１５】
2019133828.tif 000017